【手続補正書】
【提出日】平成22年7月1日(2010.7.1)
【手続補正１】
【補正対象書類名】特許請求の範囲
【補正対象項目名】全文
【補正方法】変更
【補正の内容】
【特許請求の範囲】
【請求項１】
像坦持単体上の現像画像を転写するベルト状の転写体のベルト面にレーザ光を照射するレーザ照射手段と、
前記レーザ照射手段によるレーザ光の照射により前記転写体のベルト面上に発生した粒子画像のパターンを読み取る読み取り手段と、
前記読み取り手段の読み取り結果を解析して、前記転写体の移動に伴う粒子画像パターンにおける各粒子の位置の動きを速度ベクトルとして検出する解析手段と、
前記解析手段による前記速度ベクトルの検出の結果に基づいて、前記転写体の位置または動作を補正する補正手段とを備えたことを特徴とする転写体偏移補正装置。
【請求項２】
前記レーザ照射手段と前記読み取り手段は、前記転写体の画像転写面側に設置されたことを特徴とする請求項１に記載の転写体偏移補正装置。
【請求項３】
前記レーザ照射手段と前記読み取り手段は、前記転写体の画像転写面とは反対側に設置されたことを特徴とする請求項１に記載の転写体偏移補正装置。
【請求項４】
前記解析手段は、前記粒子画像パターンに基づいて、前記転写体の搬送方向に対して直角方向の偏移量の検出を行う手段を有し、
前記補正手段は、検出された偏移量に基づいて、前記転写体の駆動軸を可動するための補正用可動部材を動かすモータの制御を行うことを特徴とする請求項１乃至３の何れか１項に記載の転写体偏移補正装置。
【請求項５】
前記解析手段は、前記粒子画像パターンに基づいて、前記転写体の搬送方向の偏移量の検出を行う手段を有し、
前記補正手段は、検出された偏移量に基づいて、前記転写体の駆動モータの制御を行うことを特徴とする請求項１乃至４の何れか１項に記載の転写体偏移補正装置。
【請求項６】
像坦持単体上の現像画像を転写するベルト状の転写体の位置または動作を補正する転写体偏移補正方法であって、
レーザ照射手段が、前記転写体のベルト面にレーザ光を照射するレーザ照射工程と、
読み取り手段が、前記レーザ照射工程によるレーザ光の照射により前記転写体のベルト面上に発生した粒子画像のパターンを読み取る読み取り工程と、
解析手段が、前記読み取り工程の読み取り結果を解析して、前記転写体の移動に伴う粒子画像パターンにおける各粒子の位置の動きを速度ベクトルとして検出する解析工程と、
補正手段が、前記解析工程による前記速度ベクトルの検出の結果に基づいて、前記転写体の位置または動作を補正する補正工程とを有することを特徴とする転写体偏移補正方法。
【請求項７】
像坦持単体上の現像画像を転写するベルト状の転写体の位置または動作を補正する転写体偏移補正方法を、コンピュータで実現させるためのプログラムであって、
レーザ照射手段が、前記転写体のベルト面にレーザ光を照射するレーザ照射工程と、
読み取り手段が、前記レーザ照射工程によるレーザ光の照射により前記転写体のベルト面上に発生した粒子画像のパターンを読み取る読み取り工程と、
解析手段が、前記読み取り工程の読み取り結果を解析して、前記転写体の移動に伴う粒子画像パターンにおける各粒子の位置の動きを速度ベクトルとして検出する解析工程と、
補正手段が、前記解析工程による前記速度ベクトルの検出の結果に基づいて、前記転写体の位置または動作を補正する補正工程とを有することを特徴とするプログラム。
【手続補正２】
【補正対象書類名】明細書
【補正対象項目名】００２１
【補正方法】変更
【補正の内容】
【００２１】
上記目的を達成するため、本発明の転写体偏移補正装置は、像坦持単体上の現像画像を転写するベルト状の転写体のベルト面にレーザ光を照射するレーザ照射手段と、前記レーザ照射手段によるレーザ光の照射により前記転写体のベルト面上に発生した粒子画像のパターンを読み取る読み取り手段と、前記読み取り手段の読み取り結果を解析して、前記転写体の移動に伴う粒子画像パターンにおける各粒子の位置の動きを速度ベクトルとして検出する解析手段と、前記解析手段による前記速度ベクトルの検出の結果に基づいて、前記転写体の位置または動作を補正する補正手段とを備えたことを特徴とする。
また、本発明の転写体偏移補正方法は、像坦持単体上の現像画像を転写するベルト状の転写体の位置または動作を補正する転写体偏移補正方法であって、レーザ照射手段が、前記転写体のベルト面にレーザ光を照射するレーザ照射工程と、読み取り手段が、前記レーザ照射工程によるレーザ光の照射により前記転写体のベルト面上に発生した粒子画像のパターンを読み取る読み取り工程と、解析手段が、前記読み取り工程の読み取り結果を解析して、前記転写体の移動に伴う粒子画像パターンにおける各粒子の位置の動きを速度ベクトルとして検出する解析工程と、補正手段が、前記解析工程による前記速度ベクトルの検出の結果に基づいて、前記転写体の位置または動作を補正する補正工程とを有することを特徴とする。
また、本発明のプログラムは、像坦持単体上の現像画像を転写するベルト状の転写体の位置または動作を補正する転写体偏移補正方法を、コンピュータで実現させるためのプログラムであって、レーザ照射手段が、前記転写体のベルト面にレーザ光を照射するレーザ照射工程と、読み取り手段が、前記レーザ照射工程によるレーザ光の照射により前記転写体のベルト面上に発生した粒子画像のパターンを読み取る読み取り工程と、解析手段が、前記読み取り工程の読み取り結果を解析して、前記転写体の移動に伴う粒子画像パターンにおける各粒子の位置の動きを速度ベクトルとして検出する解析工程と、補正手段が、前記解析工程による前記速度ベクトルの検出の結果に基づいて、前記転写体の位置または動作を補正する補正工程とを有することを特徴とする。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２７
【補正方法】変更
【補正の内容】
【００２７】
この画像形成装置の制御ユニット７０には、画像形成部や給紙部、中間転写部等の各ユニット内の機構の動作を制御するための制御基板７０ａが配備されている。また、この制御基板７０ａは、本実施の形態における転写体偏移補正装置の動作を制御する機能も備えている。
【手続補正６】
【補正対象書類名】明細書
【補正対象項目名】００４７
【補正方法】変更
【補正の内容】
【００４７】
この粒子状態は物質の表面性に依存し、この状態で物体を動かすと、レーザ照射角と観察距離を大きく変えない限り、物体の移動に応じて粒子も等しく移動するように見える。
この原理を応用して、一定時間毎にスペックル画像のパターンを読み取り、スペックル画像内の粒子の移動を解析して、その速度と方向の読み取りを行うものである。
【手続補正７】
【補正対象書類名】明細書
【補正対象項目名】００５５
【補正方法】変更
【補正の内容】
【００５５】
図６中の白丸部分３０１が、任意の時刻で撮影されたスペックル画像の粒子であり、黒丸部分３０２は一定時間で撮影される１つ前のスペックル画像を重ね合わせたものである。円３０３は撮影範囲を表し、矢印３０４は速度ベクトルを表す。
【手続補正８】
【補正対象書類名】明細書
【補正対象項目名】００８６
【補正方法】変更
【補正の内容】
【００８６】
＜第３の実施の形態に係る利点＞
レーザ発光装置７０３と読取カメラ装置７０４を画像転写面とは逆の面に設置することにより、飛散するトナーなどによる機器の汚れを軽減することが可能となる。また、転写ベルトの画像転写面側は機器の使用により損耗が増すが、画像転写面とは逆の面、つまり損耗程度の小さい裏面を使用することで、偏移量検出の安定化を図ることができる。
【手続補正９】
【補正対象書類名】図面
【補正対象項目名】図６
【補正方法】変更
【補正の内容】
【図６】
2009015240.tif 000001